(57)【要約】【課題】外観を良好に保つとともに耐荷重量を向上させることができる落下抑制装置を提供する。【解決手段】落下抑制装置１は、耐荷重量が大きくバックル２２によって支柱Ｐに取り付けられるベルト本体２１を有したベルト部材２と、ベルト本体２１が挿通される硬質なパイプ部材３と、を備える。棚Ｒに載置された載置物Ｏが落下しようとして比較的小さい荷重が加わった際にベルト本体２１の変形を抑制して外観を良好に保つとともに、落下抑制装置１全体としての耐荷重量を向上させることができる。【選択図】図１
2016140424.tif 000002
【特許請求の範囲】
【請求項１】
棚の支柱間に設けられて載置物の落下を抑制する落下抑制装置であって、
前記支柱間に亘って設けられるベルト本体、及び、該ベルト本体を前記支柱に取り付ける取付部を有するベルト部材と、
前記ベルト本体に長手方向に沿って取り付けられるとともに該ベルト本体よりも硬質な硬質部材と、を備えることを特徴とする落下抑制装置。
【請求項２】
前記硬質部材は、前記ベルト本体を挿通可能な筒状に形成され、
前記ベルト本体は、筒状の前記硬質部材に挿通されていることを特徴とする請求項１に記載の落下抑制装置。
【請求項３】
前記取付部は、前記ベルト本体を前記支柱に対して上下方向にスライド可能に取り付けることを特徴とする請求項１又は２に記載の落下抑制装置。
【請求項４】
前記ベルト本体は、合成繊維を織ることによって構成された布製であることを特徴とする請求項１〜３のいずれか１項に記載の落下抑制装置。
【発明の詳細な説明】
【技術分野】
【０００１】
本発明は、棚の支柱間に設けられて載置物の落下を抑制する落下抑制装置に関する。
【背景技術】
【０００２】
一般に、棚板上の載置物の落下を抑制するために、棚の支柱間に落下抑制装置が設けられることがある。従来、このような落下抑制装置として、ベルト状の部材を有したもの（例えば、特許文献１参照）や、金属製の棒状の部材を有したもの（例えば、特許文献２参照）が提案されている。特許文献１に記載された従来の落下抑制装置では、ベルト状の部材をナイロンやポリプロピレン等で構成された布製の部材とすることで、載置物が落下しようとした際の耐荷重量を向上させることができる。また、特許文献２に記載された従来の落下抑制装置では、載置物が落下しようとして棒状の部材に多少の負荷がかかっても変形しにくく、外観を良好に保つことができる。
【先行技術文献】
【特許文献】
【０００３】
【特許文献１】特開２０１３−１５８６３３号公報
【特許文献１】特開２０１３−１５８６３２号公報
【発明の概要】
【発明が解決しようとする課題】
【０００４】
しかしながら、特許文献１に記載された従来の落下抑制装置では、ベルト状の部材は、載置物の荷重が加わることによって伸び変形し、支柱間において弛みが生じて外観が悪化してしまったり、棚板とベルト状の部材との間に隙間が生じて落下抑制性能が低下してしまったりすることがあった。また、特許文献２に記載された従来の落下抑制装置では、棒状の部材は、布製の部材と比べて耐荷重量が小さく破損しやすいという不都合があった。
【０００５】
本発明の目的は、外観を良好に保つとともに耐荷重量を向上させることができる落下抑制装置を提供することにある。
【課題を解決するための手段】
【０００６】
本発明の落下抑制装置は、棚の支柱間に設けられて載置物の落下を抑制する落下抑制装置であって、前記支柱間に亘って設けられるベルト本体、及び、該ベルト本体を前記支柱に取り付ける取付部を有するベルト部材と、前記ベルト本体に長手方向に沿って取り付けられるとともに該ベルト本体よりも硬質な硬質部材と、を備えることを特徴とする。
【０００７】
以上のような本発明によれば、支柱間に亘って設けられるベルト本体に、長手方向（支柱同士が対向する方向）に沿って硬質部材が取り付けられることで、載置物が落下しようとして硬質部材の耐荷重量以下の荷重が落下抑制装置に対して加わった場合、硬質部材が取り付けられた部分におけるベルト本体の伸びを抑制することができ、外観を良好に保つとともにベルト本体と棚との隙間を生じにくくして落下抑制機能を向上させることができる。また、落下抑制装置に対し、硬質部材の耐荷重量よりも大きい荷重が加わった場合、硬質部材は破損する可能性があるものの、ベルト部材がこの荷重を受けることができ、載置物を落下しにくくすることができる。従って、比較的小さい荷重に対してベルト本体の変形を抑制して外観を良好に保つとともに、落下抑制装置全体としての耐荷重量を向上させることができる。
【０００８】
この際、本発明の落下抑制装置では、前記硬質部材は、前記ベルト本体を挿通可能な筒状に形成され、前記ベルト本体は、筒状の前記硬質部材に挿通されていることが好ましい。このような構成によれば、硬質部材にベルト本体を挿通するだけで取り付けることができ、取付構造を簡単化することができる。
【０００９】
さらに、本発明の落下抑制装置では、前記取付部は、前記ベルト本体を前記支柱に対して上下方向にスライド可能に取り付けることが好ましい。このような構成によれば、ベルト本体を上下方向にスライドさせることにより、例えば載置物の大きさに応じて落下抑制装置の上下方向位置を調節したり、載置物の載置時や取り出し時に落下抑制装置を退避させたりすることができる。このとき、作業者は硬質部材を操作することができ、硬質部材が取り付けられたベルト本体は操作時に変形しにくく、ベルト本体のみが支柱間に設けられる構成と比較して操作性を向上させることができる。
【００１０】
また、本発明の落下抑制装置では、前記ベルト本体は、合成繊維を織ることによって構成された布製であることが好ましい。このような構成によれば、ベルト本体の耐荷重量を向上させ、落下抑制装置全体の耐荷重量を向上させることができる。
【発明の効果】
【００１１】
以上のような本発明の落下抑制装置によれば、ベルト本体に硬質部材が取り付けられることで、外観を良好に保つとともに耐荷重量を向上させることができる。
【図面の簡単な説明】
【００１２】
【図１】本発明の実施形態に係る落下抑制装置を示す斜視図である。
【図２】前記落下抑制装置のベルト本体を示す正面図である。
【図３】前記ベルト本体が棚の支柱に取り付けられる様子を示す断面図である。
【図４】前記落下抑制装置の硬質部材を示す斜視図である。
【図５】本発明の変形例の落下抑制装置におけるベルト部材を示す断面図である。
【図６】本発明の他の変形例の落下抑制装置におけるベルト本体の支柱への取付構造を示す正面図及び側面図である。
【図７】本発明の他の変形例の落下抑制装置のベルト部材の取付部を示す断面図である。
【図８】本発明の他の変形例の落下抑制装置のベルト部材の取付部を示す断面図及び正面図である。
【発明を実施するための形態】
【００１３】
以下、本発明の実施形態を図面に基づいて説明する。本実施形態の落下抑制装置１は、図１に示すように、棚Ｒの２本の支柱Ｐ間に設けられ、支柱Ｐ間に亘って設けられるベルト本体２１を有するベルト部材２と、ベルト本体２１が挿通される硬質部材としてのパイプ部材３と、を備える。
【００１４】
棚Ｒは金属製であり、４本の支柱Ｐによって棚板Ｂが支持されている。尚、棚Ｒは支柱Ｐ間に少なくとも１つの開口を有していればよく、その他の支柱Ｐ間は、例えば側板が設けられて開口していなくてもよい。また、本実施形態では、棚Ｒは図１における紙面奥側が建物の内壁等に沿うように配置され、左右に複数の棚Ｒが並設され、紙面手前側の支柱Ｐ間にのみ落下抑制装置１が設けられるものとするが、他の支柱Ｐ間から棚板Ｂ上の載置物が落下し得る場合には、他の支柱Ｐ間にも落下抑制装置１が設けられてもよい。支柱Ｐは、図３に示すように断面Ｌ字状の鋼材で構成されるものとするが、その形状は任意である。
【００１５】
ベルト部材２は、ベルト本体２１と、ベルト本体２１を支柱Ｐに取り付ける取付部としてのバックル２２と、を有する。
【００１６】
ベルト本体２１は、図２に示すように、例えばナイロンやポリプロピレン等の合成繊維を織ることによって構成された布製であるとともに帯状に形成され、２本の支柱Ｐ間の離隔寸法よりも大きな長手方向寸法を有し、その幅方向寸法及び厚さ方向寸法は、必要な耐荷重量に応じて適宜な値に設定されていればよい。また、ベルト本体２１の耐荷重量は、パイプ部材３の耐荷重量よりも大きく設定されている。
【００１７】
バックル２２は、例えば合成樹脂によって構成され、水平面に沿った断面図である図３に示すように、ベルト本体２１の帯幅方向に沿って延びる複数の保持片２２１と、保持片２２１の間に形成されてベルト本体２１が挿通されるベルト挿通部２２２と、を有する。バックル２２は、まずベルト本体２１のうち２本の支柱間に延びる部分がベルト挿通部２２２に挿通され、支柱Ｐを巻き込むように折り返されたベルト本体２１の端部２１１がさらにベルト挿通部２２２に挿通されることで、ベルト本体２１を支柱Ｐに取り付けるように構成されている。尚、バックル２２は支柱Ｐ間のベルト本体２１が挿通されるとともに端部２１１を保持することができるものであればよく、保持片２２１やベルト挿通部２２２の数や形状は任意である。また、折り返されたベルト本体２１に当接する保持片２２１には、ベルト本体２１が緩まないようにする戻り止めが設けられていることが好ましい。
【００１８】
このようにベルト本体２１が支柱Ｐに巻き付けられることで、ベルト本体２１はバックル２２によって支柱Ｐに対して上下方向にスライド可能に取り付けられる。尚、ベルト本体２１のうち支柱Ｐに当接する部分には、例えばゴム等の滑り止め部材が設けられ、ベルト本体２１が自重によって意図せずに下方にスライドしてしまうことが抑制されていてもよい。
【００１９】
パイプ部材３は、例えば硬質な樹脂や金属によって構成されるものとするが、ベルト本体２１よりも硬質な（即ち、変形しにくい）部材で構成されていればよい。パイプ部材３は、図４にも示すように、ベルト本体２１の帯幅寸法よりも大きい内径を有するとともにベルト本体２１の長手方向に沿って延びる円筒状に形成され、ベルト本体２１が挿通されることによってベルト本体２１に取り付けられるようになっている。尚、パイプ部材３は円筒状に限らず角筒状であってもよいし、その内径がベルト本体２１の帯幅よりも小さく、ベルト本体２１がパイプ部材３の内側で折られるなどして挿通されてもよい。また、パイプ部材３は、２本の支柱Ｐ間の離隔寸法よりも若干小さい長手方向寸法を有している。パイプ部材３の厚さは必要な耐荷重量に応じて適宜な値に設定されていればよい。
【００２０】
以上のような落下抑制装置１は、まずベルト本体２１がパイプ部材３の内側に挿通され、パイプ部材３がベルト本体２１に対して長手方向に沿って取り付けられた後、前述のようにベルト本体２１がバックル２２によって支柱Ｐに取り付けられることによって、棚Ｒへの取り付けが完了する。ベルト本体２１が支柱Ｐに対して上下方向にスライド可能に取り付けられ、ベルト本体２１がパイプ部材３の内側に挿通されていることで、落下抑制装置１全体が支柱Ｐに対して上下方向にスライド可能に設置される。落下抑制装置１は、棚板Ｂ上の載置物Ｏ（図１に二点鎖線で図示）の高さよりも低い位置（例えば載置物の高さの半分程度）に位置づけられる。
【００２１】
このような棚Ｒから載置物Ｏを取り出したり、棚板Ｂ上に載置物Ｏを載置したりする際、作業者はパイプ部材３を把持して落下抑制装置１を操作することによって、落下抑制装置１が載置物Ｏよりも上方に位置するように退避させる。棚板Ｂ上に載置物Ｏを載置した後、作業者は落下抑制装置１を載置物Ｏの高さよりも低い位置に位置づける。
【００２２】
このように落下抑制装置１が取り付けられた棚Ｒにおいて、例えば地震等によって載置物Ｏが図１における手前側に落下しようとすると、載置物Ｏの荷重が落下抑制装置１に加わる。落下抑制装置１は、パイプ部材３と、ベルト本体２１のうちパイプ部材３から露出した部分と、において主に荷重を受ける。この荷重がパイプ部材３の耐荷重量よりも小さい場合、パイプ部材３はほとんど変形せず、ベルト本体２１のうちパイプ部材３に挿通された部分はほとんど伸び変形しない。一方、落下抑制装置１に加わる荷重がパイプ部材３の耐荷重量よりも大きい場合、パイプ部材３が塑性変形したり破断したりして破損する可能性があるものの、パイプ部材３よりも耐荷重量の大きいベルト本体２１が荷重を受け、載置物Ｏの落下を抑制することができる。
【００２３】
このような本実施形態によれば、以下のような効果がある。即ち、耐荷重量の大きいベルト本体２１に硬質なパイプ部材３が取り付けられていることで、比較的小さい荷重に対してベルト本体２１の変形を抑制し、外観を良好に保つとともにベルト本体２１と棚板Ｂとの隙間を生じにくくして落下抑制機能を向上させることができる。さらに、落下抑制装置１全体としての耐荷重量を向上させることができる。
【００２４】
また、パイプ部材３がベルト本体２１を挿通可能に構成されていることで、パイプ部材３をベルト本体２１に容易に取り付けることができ、取付構造を簡単化することができる。
【００２５】
さらに、バックル２２によってベルト本体２１が支柱Ｐに対して上下方向にスライド可能に取り付けられるとともに、ベルト本体２１にパイプ部材３が取り付けられていることで、落下抑制装置１を上下方向にスライドさせる際にパイプ部材３を操作することができ、パイプ部材３が取り付けられたベルト本体２１は操作時に変形しにくく、ベルト本体２１のみが支柱Ｐ間に設けられる構成と比較して操作性を向上させることができる。
【００２６】
なお、本発明は、前記実施形態に限定されるものではなく、本発明の目的が達成できる他の構成等を含み、以下に示すような変形等も本発明に含まれる。
【００２７】
例えば、前記実施形態では、硬質部材としてのパイプ部材３にベルト本体２１が挿通されるものとしたが、硬質部材はベルト本体２１に長手方向に沿って取り付け可能なものであればよく、例えば断面Ｃ字状のパイプ部材であってもよいし、結束バンド等が巻き付けられることでベルト本体２１に取り付けられる棒状の部材であってもよいし、ベルト本体２１を両面から挟み込むように取り付けられる２枚の板状の部材で構成されていてもよい。また、硬質部材はベルト本体２１の長手方向において適宜な数に分割されていてもよい。分割数が少なければ荷重が加わった際にベルト本体２１を伸びにくくすることができ、分割数が多ければ支柱Ｐ間の離隔寸法に応じて硬質部材の数を調節することができる。
【００２８】
また、前記実施形態では、ベルト本体２１が支柱Ｐに巻き付けられて上下方向にスライド可能に設置されるものとしたが、ベルト部材２１には、図５に示すように、支柱Ｐとの当接面に摺接部材２１２が設けられていてもよい。摺動部材２１２は、ベルト部材２１に取り付けられるとともに、支柱Ｐと摺接する面に例えばフッ素樹脂のコーティングが施されることによって摩擦係数が低くなっている。このような構成によれば、落下抑制装置１を容易にスライドさせることができる。このとき、落下抑制装置１が意図せずに下降してしまわないように、例えば図６に示すような支持部材２３が設けられることが好ましい。支柱Ｐには長孔ＰＯが形成され、支持部材２３は、正面図である図６（Ａ）に示すように、長孔ＰＯに挿通されるボルト４によって支柱Ｐに対して任意の高さに固定される。また、支持部材２３は、側面図である図６（Ｂ）に示すように、支柱Ｐに巻き付けられたベルト本体２１を挟み込む挟持部２３１を有してベルト本体２１を下方から支持するように構成されている。
【００２９】
また、水平面に沿った断面図である図７に示すように、支柱Ｐ１が断面Ｃ字状のレール形状を有するとともに、ベルト部材が、支柱Ｐ１に案内される断面Ｔ字状の取付部２４を備える構成としてもよい。このとき、前述のような支持部材２３が適宜に組み合わされてもよい。
【００３０】
また、図８に示すように、ベルト部材が、板状の支柱Ｐ２を挟み込むローラ２５１と挟持板部２５２とを有する取付部２５を備える構成としてもよい。このような構成によれば、落下抑制装置１をさらにスムーズにスライドさせることができる。尚、取付部は、一対のローラによって板状の支柱を挟み込む構成であってもよい。このとき、前述のような支持部材２３が適宜に組み合わされてもよいし、ローラにストッパが設けられて回転が規制されることにより、落下抑制装置１の意図しない下降が抑制されてもよい。
【００３１】
取付部は、上記のような構成に限定されず、支柱の形状に応じて適宜な構成によってスライド可能に構成されていればよい。また、ベルト本体は、例えばフック状の部材やナスカン等を取付部として、支柱に対して上下方向にスライド不能に取り付けられていてもよく、このような構成によれば、載置物が落下しようとした際に落下抑制装置が上下にずれて荷重を受けられなくなってしまうことを抑制することができる。
【００３２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３３】
１          落下抑制装置
２          ベルト部材
３          パイプ部材（硬質部材）
２１        ベルト本体
２２        バックル（取付部）
２４、２５  取付部
Ｒ          棚
Ｐ          支柱
【図１】
2016140424.tif 000003
【図２】
2016140424.tif 000004
【図３】
2016140424.tif 000005
【図４】
2016140424.tif 000006
【図５】
2016140424.tif 000007
【図６】
2016140424.tif 000008
【図７】
2016140424.tif 000009
【図８】
2016140424.tif 000010